【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
正規の物品が有する読取対象物の識別情報と、前記読取対象物の識別情報に関する読取履歴とを記憶する記憶手段と通信可能な情報処理装置であって、
読取対象物の識別情報を、携帯端末から取得する識別情報取得手段と、
前記取得された識別情報が前記記憶手段に登録されているか否かを判定する判定手段と、
前記取得された識別情報が前記記憶手段に登録されていると判定された場合に、前記取得された識別情報に関する読取履歴と、前記取得された識別情報に対応する前記読取対象物を有する物品が正規の物品であることを示す読取結果情報とを送信する読取結果情報送信手段と、
を有することを特徴とする情報処理装置。
【請求項２】
前記判定手段が管理用の携帯端末で読み取られた読取対象物の識別情報を用いて前記判定を行う場合には前記読取履歴に履歴を登録せず、前記判定手段が一般用の携帯端末で読み取られた読取対象物の識別情報を用いて前記判定を行う場合には、前記読取履歴に履歴を登録する登録手段
を更に有することを特徴とする、請求項１に記載の情報処理装置。
【請求項３】
前記取得された識別情報が前記記憶手段に登録されている場合に、前記読取履歴に基づき、前記取得された識別情報の読取回数が設定回数を超えるか否かを判定する読取回数判定手段を更に有し、
前記読取結果情報送信手段は、前記設定回数を超えると判定された場合には、前記取得された識別情報に対応する前記読取対象物を有する物品が非正規の物品である可能性があることを示す読取結果情報を送信し、前記設定回数を超えないと判定された場合には、前記読取履歴と前記取得された識別情報に対応する前記読取対象物を有する物品が正規の物品であることを示す読取結果情報とを送信することを特徴とする、請求項１又は２に記載の情報処理装置。
【請求項４】
前記読取履歴に基づいて、異なる場所で前記読取対象物が読み取られたか否かを判定する場所判定手段を更に有し、
前記読取結果情報送信手段は、前記設定回数を超えないと判定され、且つ異なる場所で前記読取対象物が読み取られたと判定された場合に、前記取得された識別情報に対応する前記読取対象物を有する物品が非正規の物品である可能性があることを示す読取結果情報を送信することを特徴とする、請求項３に記載の情報処理装置。
【請求項５】
前記読取履歴に基づいて、前記取得された識別情報が同じ携帯端末で読み取られたか否かを判定する端末判定手段を更に有し、
前記読取結果情報送信手段は、前記取得された識別情報が同じ携帯端末で読み取られたと判定された場合に、前記取得された識別情報に対応する前記読取対象物を有する物品が正規の物品であることを示す読取結果情報を送信し、前記取得された識別情報が同じ携帯端末で読み取られていないと判定された場合には、前記取得された識別情報に対応する前記読取対象物を有する物品が非正規の物品である可能性があることを示す読取結果情報を送信することを特徴とする、請求項１乃至４の何れか１項に記載の情報処理装置。
【請求項６】
前記読取履歴を携帯端末に表示するか否かの設定画面をクライアント端末に送信する設定画面送信手段と、
前記読取履歴を表示するか否かの設定情報を管理する管理手段と
を備え、
前記読取結果情報送信手段は、前記設定情報に基づき、前記読取履歴を送信するか否かを決定して送信することを特徴とする、請求項１乃至５の何れか１項に記載の情報処理装置。
【請求項７】
正規の物品が有する読取対象物の識別情報と、前記読取対象物の識別情報に関する読取履歴とを記憶する記憶手段と通信可能な情報処理システムであって、
読取対象物の識別情報を、携帯端末から取得する識別情報取得手段と、
前記取得された識別情報が前記記憶手段に登録されているか否かを判定する判定手段と、
前記取得された識別情報が前記記憶手段に登録されていると判定された場合に、前記取得された識別情報に関する読取履歴と、前記取得された識別情報に対応する前記読取対象物を有する物品が正規の物品であることを示す読取結果情報とを送信する読取結果情報送信手段と、
を有することを特徴とする情報処理システム。
【請求項８】
前記携帯端末は、
前記送信された読取履歴と前記送信された読取結果情報とに基づく画面を表示部に表示させる表示制御手段、
を更に有することを特徴とする、請求項７に記載の情報処理システム。
【請求項９】
前記読取履歴は、前記取得された識別情報の読取回数を含み、
前記表示制御手段は、前記読取回数を含む前記画面を前記表示部に表示させることを特徴とする、請求項８に記載の情報処理システム。
【請求項１０】
正規の物品が有する読取対象物の識別情報と、前記読取対象物の識別情報に関する読取履歴とを記憶する記憶手段と通信可能な情報処理装置の制御方法であって、
読取対象物の識別情報を、携帯端末から取得する識別情報取得ステップと、
前記取得された識別情報が前記記憶手段に登録されているか否かを判定する判定ステップと、
前記取得された識別情報が前記記憶手段に登録されていると判定された場合に、前記取得された識別情報に関する読取履歴と、前記取得された識別情報に対応する前記読取対象物を有する物品が正規の物品であることを示す読取結果情報とを送信する読取結果情報送信ステップと、
を有することを特徴とする情報処理装置の制御方法。
【請求項１１】
正規の物品が有する読取対象物の識別情報と、前記読取対象物の識別情報に関する読取履歴とを記憶する記憶手段と通信可能な情報処理システムの制御方法であって、
読取対象物の識別情報を、携帯端末から取得する識別情報取得ステップと、
前記取得された識別情報が前記記憶手段に登録されているか否かを判定する判定ステップと、
前記取得された識別情報が前記記憶手段に登録されていると判定された場合に、前記取得された識別情報に関する読取履歴と、前記取得された識別情報に対応する前記読取対象物を有する物品が正規の物品であることを示す読取結果情報とを送信する読取結果情報送信ステップと、
を有することを特徴とする情報処理システムの制御方法。
【請求項１２】
正規の物品が有する読取対象物の識別情報と、前記読取対象物の識別情報に関する読取履歴とを記憶する記憶手段と通信可能な情報処理装置のプログラムであって、
前記情報処理装置を、
読取対象物の識別情報を、携帯端末から取得する識別情報取得手段と、
前記取得された識別情報が前記記憶手段に登録されているか否かを判定する判定手段と、
前記取得された識別情報が前記記憶手段に登録されていると判定された場合に、前記取得された識別情報に関する読取履歴と、前記取得された識別情報に対応する前記読取対象物を有する物品が正規の物品であることを示す読取結果情報とを送信する読取結果情報送信手段、
として機能させるためのプログラム。
【手続補正２】
【補正対象書類名】明細書
【補正対象項目名】０００７
【補正方法】変更
【補正の内容】
【０００７】
本発明の目的を達成するための情報処理装置は、以下の構成を有する。すなわち、正規の物品が有する読取対象物の識別情報と、前記読取対象物の識別情報に関する読取履歴とを記憶する記憶手段と通信可能な情報処理装置であって、読取対象物の識別情報を、携帯端末から取得する識別情報取得手段と、前記取得された識別情報が前記記憶手段に登録されているか否かを判定する判定手段と、前記取得された識別情報が前記記憶手段に登録されていると判定された場合に、前記取得された識別情報に関する読取履歴と、前記取得された識別情報に対応する前記読取対象物を有する物品が正規の物品であることを示す読取結果情報とを送信する読取結果情報送信手段と、を有することを特徴とする。